(57)【要約】【課題】操作部に衝撃が加わっても連結部材の慣性力によってライトガイドファイバにダメージが加わることを確実に防止するとともに。【解決手段】グリップ１１内部において操作部３側に機械的に連結固定された受け筒６１に内部連結板６２がビス固定され、この内部連結板６２にライトガイドファイバ収納部品６３がビス固定される。さらに前記第２の口金５０は、そのフランジ部５２が前記ライトガイドファイバ収納部品６３にビス固定されている。前記第２の口金５０が固定される前記ライトガイドファイバ収納部品６３の内空部分は、第２のライトガイドファイバ３２の最大曲げ半径より大きな半径の円筒空間を形成している。この円筒空間には、第２のライトガイドファイバ３２が螺旋状に収納されている。【選択図】  図２
2004202136.tif 000002
【特許請求の範囲】
【請求項１】
被写体に挿入可能な挿入部を有する内視鏡において、
光源からの照射光が入射され、その入射された照射光を出射可能な出射部を有する第１のライトガイドファイバと、
前記出射部から出射される照射光が入射するように前記第１のライトガイドファイバと接続手段により光学的に接続された第２のライトガイドファイバと、
前記挿入部に設けられた前記第２のライトガイドファイバを前記挿入部の基端側から先端側に挿通可能に収容する挿通路と、
前記挿通路の基端側と連通した前記挿通路よりも広径な空間を形成し先端側を前記挿通路内に収容された第２のライトガイドファイバの少なくとも一部を屈曲させて収容可能なライトガイドファイバ収容部と、
を有することを特徴とする内視鏡。
【請求項２】
前記接続手段は前記内視鏡の内部に固定されていることを特徴とする請求項１に記載の内視鏡。
【請求項３】
更に前記接続手段は前記内視鏡の外装部材から離間して保持する保持手段を有することを特徴とする請求項１に記載の内視鏡。
【請求項４】
前記第１のライトガイドファイバと前記第２のライトガイドファイバとは集光手段を介して光学的に接続されていることを特徴とする請求項１に記載の内視鏡。
【請求項５】
前記第１のライトガイドファイバと前記第２のライトガイドファイバとは配光角が異なるとともに、前記第１のライトガイドファイバと前記第２のライトガイドファイバとは配光角を変換する光学部材を介して光学的に接続されていることを特徴とする請求項１に記載の内視鏡。
【発明の詳細な説明】
【０００１】
【発明の属する技術分野】
本発明は、挿入部先端に照明光を伝送する光伝送手段を備えた内視鏡に関する。
【０００２】
【従来の技術】
従来、一般に、内視鏡の内部には、光源装置の照明光を挿入部先端まで導光するための１本のライトガイドファイバが、コネクタ部から前記挿入部先端にかけて配置されている。
【０００３】
ところで、前記構成の内視鏡においては、挿入部を管腔内に挿入しやすくするために挿入部外径を細径化すると、前記挿入部内に配置されるライトガイドファイバも細く形成する必要が生じ、その結果、光源装置から入射する光量が低下して、被検部を照射する照明光量が低減するという問題があった。
【０００４】
そこで、これらの問題を改善するために、従来の内視鏡の技術には、照明光を導光するライトガイドファイバを、コネクタ側ライトガイドファイバと、これより細径に形成した挿入部側ライトガイドファイバの２つに分割し、これらのライトガイドファイバ間に集光レンズなどの集光手段を介在させて１つのライトガイドファイバを構成する例がある（例えば、特許文献１参照）。
【０００５】
このようなライトガイドファイバの２つに分割した構成の内視鏡において、ユニバーサルケーブルは管腔内に挿入しないので外径寸法を比較的太く構成できる。このため、ユニバーサルケーブル内には、比較的太径のライトガイドファイバを配置し、光源装置からの照射光をより多く導光できるようにしている。
【０００６】
また、この構成の内視鏡においては、集光手段によって前記ユニバーサルケーブル内のライトガイドファイバよりも小径の挿入部側ライトガイドファイバに集光させるようにして光量低下を防止している。
【０００７】
さらに、この構成の内視鏡は、操作部内でライトガイドファイバが２分されるので、挿入部先端からコネクタ部までが比較的長尺な内視鏡の場合、組立性および修理性が向上するという利点もある。
【０００８】
さらに、この構成の内視鏡においては、挿入部側とユニバーサルケーブル側のライトガイドファイバの配光特性を異ならせて、これらライトガイドファイバ間に適切な配光調節手段を介在させることにより、内視鏡先端からの出射光を所望の角度で照射させることもできる。
【０００９】
ここで、前記ライトガイドファイバの接続は、内部に集光手段を配置し、かつ２本のライトガイドファイバを保持固定する連結部材により行われる。連結部材は操作部に近いユニバーサルケーブル内に収納されている。
【００１０】
【特許文献１】
特開平３−２３１２１５号公報（第２−４頁、図１−４）
【００１１】
【発明が解決しようとする課題】
しかしながら、このような従来のライトガイドファイバの２つに分割した構成の内視鏡では、前記２本のライトガイドファイバを保持固定する連結部材が、内視鏡内部に対して特別な固定手段を有していないため、比較的重量の大きな集光手段および連結部材自体の重さが前記２つのライトガイドファイバにかかることになり、特に、振動などの衝撃が内視鏡に加わると、前記連結部材の慣性力が直接ライトガイドファイバに加わることになりライトガイドファイバが折れるおそれがあった。ライトガイドファイバの素線折れが生じると、内視鏡は、出射光量が低下し、観察に十分な光量が得られなくなる可能性があった。
【００１２】
また、前記連結部材が位置する近傍の内視鏡内部の空間には特別な配慮がなされていなかったので、即ち、従来の内視鏡には１本のライトガイドファイバを挿通する空間しか確保されていないため、単に前記連結部を内視鏡内部に固定するだけでは、とくに挿入部側ライトガイドファイバの余長（ライトガイドファイバを形成する際の全長寸法公差幅分）を収納する空間が無く、ライトガイドファイバの全長寸法を厳しく規定する必要があり、ライトガイドファイバの加工性を悪化させる原因となっていた。このことに対応して、前記余長分を内視鏡内部に収納するために、ライトガイドファイバを無理に蛇行させて内視鏡内部に配置する場合、組立作業時のファイバ素線折れ等の問題もあった。
【００１３】
本発明は、上記事情に鑑みてなされたものであり、操作部に衝撃が加わっても連結部材の慣性力によってライトガイドファイバにダメージが加わることを確実に防止するとともに、操作部内においてライトガイドファイバの余長分を、余裕をもって収納できるようにして、ライトガイドファイバ自体の全長寸法公差を大まかに設定してライトガイドファイバ自体の加工性を向上させることに加え、ライトガイドファイバを内視鏡に組み込む際のライトガイドファイバの素線折れを防止できる内視鏡を提供することを目的としている。
【００１４】
【課題を解決するための手段】
前記目的を達成するため請求項１に記載の内視鏡は、被写体に挿入可能な挿入部を有する内視鏡において、光源からの照射光が入射され、その入射された照射光を出射可能な出射部を有する第１のライトガイドファイバと、前記出射部から出射される照射光が入射するように前記第１のライトガイドファイバと接続手段により光学的に接続された第２のライトガイドファイバと、前記挿入部に設けられた前記第２のライトガイドファイバを前記挿入部の基端側から先端側に挿通可能に収容する挿通路と、前記挿通路の基端側と連通した前記挿通路よりも広径な空間を形成し先端側を前記挿通路内に収容された第２のライトガイドファイバの少なくとも一部を屈曲させて収容可能なライトガイドファイバ収容部と、を有することを特徴とする。
【００１５】
請求項２に記載の内視鏡は、請求項１に記載の内視鏡であって、前記接続手段は前記内視鏡の内部に固定されていることを特徴とする。
【００１６】
請求項３に記載の内視鏡は、請求項１に記載の内視鏡であって、更に前記接続手段は前記内視鏡の外装部材から離間して保持する保持手段を有することを特徴とする。
【００１７】
請求項４に記載の内視鏡は、請求項１に記載の内視鏡であって、前記第１のライトガイドファイバと前記第２のライトガイドファイバとは集光手段を介して光学的に接続されていることを特徴とする。
【００１８】
請求項５に記載の内視鏡は、請求項１に記載の内視鏡であって、前記第１のライトガイドファイバと前記第２のライトガイドファイバとは配光角が異なるとともに、前記第１のライトガイドファイバと前記第２のライトガイドファイバとは配光角を変換する光学部材を介して光学的に接続されていることを特徴とする。
【００１９】
【発明の実施の形態】
以下、本発明の実施の形態を図面を参照して説明する。
（第１の実施の形態）
図１乃至図５は本発明の実施の形態に係り、図１は本実施の形態の内視鏡本体の斜視図、図２は内視鏡の操作部における長手方向の断面図、図３は内視鏡の操作部における図２のＡ−Ａ断面図、図４は内視鏡の操作部における図２のＢ−Ｂ断面図、図５は第１および第２のライトガイドファイバを連結する連結手段の構成を説明する分解斜視図である。
【００２０】
（構成）
図１に示すように、本発明の実施の形態の内視鏡１は、挿入部２と、操作部３と、ユニバーサルケーブル４と、ライトガイドコネクタ５と、カメラケーブル６と、カメラコネクタ７とを含んで構成されている。
【００２１】
挿入部２は、細長に形成され、例えば先端部側にＣＣＤ等の固体撮像素子を有する撮像ユニットを内蔵している。
【００２２】
操作部３は、挿入部２の基端に設けられ、把持部を兼ねる。
ユニバーサルケーブル４は、操作部３の基端側から延設されている。
ライトガイドコネクタ５は、ユニバーサルケーブル４の後端部に設けられ図示しない光源装置に接続される。
【００２３】
カメラケーブル６は、このライトガイドコネクタ５の側部から延出している。
カメラコネクタ７は、カメラケーブル６の延出先端部に設けられ、図示しないカメラコントロールユニット（以下ＣＣＵ）に接続される。
【００２４】
尚、前記カメラコネクタ７が接続される図示しないＣＣＵには、図示しないモニタが接続されるようになっており、被検部の光学像を挿入部２の先端部８に設けた固体撮像素子で撮像した後、前記ＣＣＵで信号処理しモニタでその被検部の画像を表示するようになっている。
【００２５】
前記挿入部２は、最先端位置に先端部８を設け、この先端部８の基端に隣接して湾曲部９を連接し、湾曲部９の基端に隣接して硬性部１０を連接している。湾曲部９は湾曲自在になっている。硬性部１０は、長尺で硬性になっている。
【００２６】
前記操作部３は硬性部１０の基端に連接される。操作部３の挿入部側部位は、術者が内視鏡１を把持する把持部としてのグリップ１１を構成している。
【００２７】
グリップ１１よりも手元側に位置する操作部３の部分には２つの湾曲操作レバー１２，１３が設けられている。２つの湾曲操作レバー１２，１３は、前記湾曲部９を異なる向きにそれぞれ湾曲操作するためのものである。内視鏡１は、これらの湾曲操作レバー１２，１３をそれそれ回動する操作を行うことで前記湾曲部９を湾曲することができる。
【００２８】
前記湾曲操作レバー１２，１３に隣接する位置には、その湾曲操作レバー１２，１３を所望の位置で固定（すなわち湾曲状態を所望の状態で固定）するための湾曲固定レバー１４（湾曲操作レバー１３に対する湾曲固定レバーについては不図示）が設けられている。前記グリップ１１には図示しないＶＴＲ等の映像記録装置や図示しないＣＣＵ等を遠隔操作する複数のリモートスイッチ１５が設けられている。
【００２９】
前記ライトガイドコネクタ５の側壁面には通気口金１６が設けられている。通気口金１６は内視鏡本体の内外の連通状態を選択可能にするものである。
【００３０】
内視鏡１は、この通気口金１６より内視鏡本体内に空気を供給し、内視鏡１を水中に浸潰することにより気泡の漏れによって内視鏡１の水漏れ検査が行えるようになっている。
【００３１】
この通気口金１６は、通常、閉塞されており、これによって該内視鏡１の内部に水が浸入しない水密状態にある。
【００３２】
前記挿入部２には主に湾曲部９の保護用としての保護シース１７が装着できる。前記保護シース１７は、可撓性の高いチューブ状のシース１８の部分と、そのシース１８の基端部に設けられた口元部１９とから成る。
【００３３】
本実施の形態は、前記挿入部２の先端部８を前記口元部１９の開口部より差し込んで挿入部２をシース１８内に挿通させ、口元部１９の開口端部内面に設けた係合凸部２０をグリップ１１の先端側に設けたグリップ凸部２１を乗り越えて操作部３に係合させることで保護シース１７を内視鏡１に装着した状態で固定できるようになっている。
【００３４】
前記挿入部２の先端部８には、図２に示す第２のライトガイドファイバ３２の先端側と、撮像ユニットとが固定されている。
【００３５】
第２のライトガイドファイバ３２は、光ファイバー等からなる導光部材からなり、体腔内の被検部を照明するための照明光を導光して先端面に固定した図示しない照明窓から照明光を被検部に照明する照明光学系となっている。前記挿入部２の撮像ユニットは、第２のライトガイドファイバ３２からの照明光で照明された被検部の光学像を取り入れ、ＣＣＤ等の図示しない固体撮像素子に結像させる図示しない対物レンズ系と、前記固体撮像素子とを内蔵している。
【００３６】
前記撮像ユニットの後ろ側には、図４に示す撮像ケーブル６０の先端側が接続されている。
【００３７】
この撮像ケーブル６０は図１に示す内視鏡１の挿入部２、操作部３、ユニバーサルケーブル４、ライトガイドコネクタ５およびカメラケーブル６内を通して前記カメラコネクタ７に導かれ、そのカメラコネクタ７により図示しないビデオプロセッサ等に接続される。
【００３８】
図２に示すように、操作部３内には第１のライトガイドファイバ３１が設けられ、硬性部１０内には第２のライトガイドファイバ３２が設けられている。
【００３９】
前記第２のライトガイドファイバ３２の後ろ側は、グリップ１１内部において集光及び配光調整手段である光学部材３３（接続手段）を介して第１のライトガイドファイバ３１の照明光を出射可能な出射部と光学的に接続されている。
【００４０】
前記第１のライトガイドファイバ３１は、従来の一般的な内視鏡に用いられているライトガイドファイバと配光特性を同じようにしたものであり、一般に使用される光源装置との組み合わせに適した配光角仕様のファイバ素線を用いている。
【００４１】
前記第２のライトガイドファイバ３２は、前記第１のライトガイドファイバ３１よりも配光角の広い仕様のファイバ素線から構成している。
【００４２】
前記２つのライトガイドファイバの間に第１のライトガイドファイバから出射する光が第２のライトガイドファイバに入射するように配置される光学部材３３は、当接する各々のライトガイドファイバの有効径と略等しい光入射端部径をもつ、略円錐状のファイバ素線束であり、一般にはコニカルファイバと呼ばれる。コニカルファイバは、太径側端部より入射した光が細径側端部より出射する際に広角に変光する特性をもつ。
【００４３】
前記光学部材３３は、前記第１のライトガイドファイバ３１の配光角を前記第２のライトガイドファイバ３２の配光角に変向する仕様のものである。光学部材３３は、円筒状の枠部材３４により保持されている。光学部材３３と枠部材３４は光学ユニット３０を構成している。
【００４４】
図２及び図５に示すように、第１のライトガイドファイバ３１は第１の口金４０に固定し、第２のライトガイドファイバ３２は第２の口金５０に固定する。第１及び第２の口金４０，５０は光学ユニット３０を収納する構造になっている。
【００４５】
前記第１の口金４０は、略円筒状に形成されることで管軸方向の貫通孔４１を有する。第１の口金４０の外周には雄ねじ部４２が形成されている。第１の口金４０のライトガイドコネクタ５に寄った位置には、外周面から内周面を貫通してねじ孔４３が形成されている。ねじ孔４３には係止ビス４４が螺入する。
【００４６】
ライトガイドコネクタ５からユニバーサルケーブル４と通ってグリップ１１内に挿通された第１のライトガイドファイバ３１の端部は、前記第１の口金４０の貫通孔４１に挿通され、ねじ孔４３に螺入した係止ビス４４により固定される。
【００４７】
第２の口金５０は、略円筒状の本体５１と、その端部に形成された円盤形状のフランジ部５２より成る。この第２の口金５０の本体５１のコネクタ５側には大径の開口部５３が形成され、本体５１の挿入部２側には小径の開口部５４が形成されている。
【００４８】
開口部５３の内周面の外側付近には雌ねじ部５５が形成されている。
開口部５３には配光調整手段である円筒形状の光学ユニット３０が挿通される。続いて第１の口金４０は前記光学ユニット３０を押し込むようにして雄ねじ部４２が前記第２の口金５０の雌ねじ部５５に螺合する。なお、前記第１のライトガイドファイバ３１の第１の口金４０への固定は、前記第２の口金５０に第１の口金４０を螺合した後に行わせる。
【００４９】
第２の口金５０の挿入部２に寄った位置には、外周面から小径の開口部５４の内周面を貫通してねじ孔５６が形成されている。ねじ孔５６には係止ビス５７が螺入する。
【００５０】
先端部８から挿入部２内を通ってグリップ１１内に挿通された第２のライトガイドファイバ３２の端部は、前記第２の口金５０の開口部５４に挿通され、係止ビス５７により固定される。この時、前記第１及び第２のライトガイドファイバ３１，３２の端部は、前記光学部材３３に当接している。
【００５１】
図２に示すように、グリップ１１の内部において、操作部３側に機械的に連結固定された受け筒６１には、内部連結板６２がビス固定されている。この内部連結板６２には、ライトガイドファイバ収納部品６３がビス固定される。さらに前記第２の口金５０は、そのフランジ部５２が前記ライトガイドファイバ収納部品６３にビス固定されている。
【００５２】
ここで、第２の口金５０内の第１のライトガイドファイバ３１及び第２のライトガイドファイバ３２と、光学部材３３との当接面には照明光伝達ロスにより発熱が生じるが、前記第２の口金５０の外周部に空気の層が形成されているため、グリップ１１の外表面にその熱が直に伝わることがない。また、前記第２の口金５０、ライトガイドファイバ収納部品６３、内部連結板６２、受け筒６１等の内部構成部品は良熱伝達素材より構成されている。
【００５３】
前記第２の口金５０のフランジ部５２には、図４に示すように、ワイヤ挿通穴５８が形成されていて、そこに前記湾曲部９を湾曲操作するための湾曲操作ワイヤ６４が挿通される。また、前記フランジ部５２には、切り欠き部５９が形成されており、この切り欠き部５９に内視鏡先端部側から挿入部２内を通過した撮像ケーブル６０を通すようにしている。
【００５４】
前記第２の口金５０が固定される前記ライトガイドファイバ収納部品６３の内空部分は、ライトガイドファイバ収容部７１となっており、図３に示すように、第２のライトガイドファイバ３２の最大曲げ半径より大きな半径Ｒの円筒空間を形成している。この円筒空間には図２に示すように、第２のライトガイドファイバ３２が螺旋状に収納されている。この、第２のライトガイドファイバ３２の螺旋状の部分は、前記ライトガイドファイバ収容部７１に屈曲して収容される屈曲部７２となっている。
【００５５】
また、このライトガイドファイバ収納部品６３の一部両側面を図３に示すように切り欠いて円筒空間との開口部６５を設けることにより第２のライトガイドファイバ３２を螺旋状に収納する作業を行いやすくしている。
【００５６】
図２に示すように、第２のライトガイドファイバ３２の屈曲部７２より内視鏡先端側は前記挿入部２の硬性部１０内の挿通路７３に挿入される。図１に示す湾曲部９及び先端部８についても第２のライトガイドファイバ３２が挿入される挿通路７３が形成されている。
【００５７】
前記のように構成した第１のライトガイドファイバ３１、光学部材３３及び第２のライトガイドファイバ３２は、図示しない光源装置からの照明光を挿入部２の先端まで導光し、図示しない照明窓を通して所望の出射角で患部を照明する。
【００５８】
このような構造により、内視鏡１は、被写体に挿入可能な挿入部２を有する。
【００５９】
第１のライトガイドファイバ３１は、光源からの照射光が入射され、その入射された照射光を出射可能な出射部を有する。
【００６０】
第２のライトガイドファイバ３２は、前記出射部から出射される照射光が入射するように前記第１のライトガイドファイバ３１と接続手段としての光学部材３３により光学的に接続されている。
【００６１】
挿通路７３は、前記挿入部２に設けられた前記第２のライトガイドファイバ３２を前記挿入部２の基端側から先端側に挿通可能に収容する。
【００６２】
ライトガイドファイバ収容部７１は、前記挿通路７３の基端側と連通した前記挿通路７３よりも広径な空間を形成し、先端側が前記挿通路７３内に収容された第２のライトガイドファイバ３２の少なくとも一部を収容可能になっている。
【００６３】
前記第２のライトガイドファイバ３２に設けられた屈曲部７２は、前記ライトガイドファイバ収容部７１に屈曲して収容される。
前記接続手段は前記内視鏡１の内部に固定されている。
更に前記接続手段は、前記内視鏡１のグリップ１１などの外装部材から離間して保持する保持手段の枠部材３４、第１及び第２の口金４０，５０を有する。
【００６４】
前記第１のライトガイドファイバ３１と前記第２のライトガイドファイバ３２とは、集光手段としての光学部材３３を介して光学的に接続されている。
【００６５】
前記第１のライトガイドファイバ３１と前記第２のライトガイドファイバ３２とは、配光角が異なるとともに、前記第１のライトガイドファイバ３１と前記第２のライトガイドファイバ３２とは配光角を変換する光学部材３３を介して光学的に接続されている。
【００６６】
（作用）
このような実施の形態において、作業者は、挿入部２内に挿通される第２のライトガイドファイバ３２をグリップ１１内の第２の口金５０に固定する際、その余長部分をライトガイドファイバ収納部品６３の中に螺旋状にして屈曲部７２として収納する。
【００６７】
また、ユニバーサルケーブル４内に挿通される第１のライトガイドファイバ３１は、その一端が前記第２の口金５０に固定されるとともに、第１のライトガイドファイバ３１の余長部分はライトガイドコネクタ５の内の空間に収納される。
【００６８】
内視鏡観察に必要な照明光は、光源装置からコネクタ５内の第１のライトガイドファイバ３１に入射し、グリップ１１内の光学部材３３へ導光される。前記光学部材３３に入射した照明光は、配光角が変換され、第２のライトガイドファイバ３２に効率良く入射する。そして、第２のライトガイドファイバ３２に導光された照明光は、先端部８より前方に出射し、患部を照明する。
【００６９】
この時、前記光学部材３３と、前記第１及び第２のライトガイドファイバ３１，３２との間に生じた光量ロスによる熱は、第２の口金５０からライトガイドファイバ収納部品６３や内部連結板６２に伝わり、更に他の内部構成部品に拡散する。
【００７０】
（発明の効果）
このような実施の形態によれば、第１及び第２のライトガイドファイバ３１，３２を接続する連結部材（枠部材３４、第１及び第２の口金４０，５０）及び前記ライトガイドファイバ３１，３２の間に介在する光学部材３３を内視鏡１の操作部３内に確実に固定することによって内視鏡１の使用中や輸送中に外部からの衝撃が内視鏡１の本体に加わっても前記連結部材が動くことがないので、操作部３に衝撃が加わっても連結部材の慣性力によって第１及び第２のライトガイドファイバ３１，３２にダメージが加わることを確実に防止でき、第１及び第２のライトガイドファイバ３１，３２に負荷がかからず、第１及び第２のライトガイドファイバ３１，３２の素線折れを防止できる。
【００７１】
第２のライトガイドファイバ３２の最小曲げ形状より大きな収納空間（ライトガイドファイバ収容部７１）に第２のライトガイドファイバ３２を螺旋状（コイル状）に収納し、前記第２のライトガイドファイバ３２の収納すべき余長分の収納幅を螺旋の密度（密巻きまたは疎巻き）により適宜調整可能とすることで、操作部３内において第２のライトガイドファイバ３２の余長分を、余裕をもって収納できるようにして、第２のライトガイドファイバ３２の収納すべき余長分の収納幅を大きく取ることが可能となり、第２のライトガイドファイバ３２を組み付ける際の作業が向上する。更に、第２のライトガイドファイバ３２の全長寸法を大まかに設定出来るので、第２のライトガイドファイバ３２自体の加工がしやすくなる。第２のライトガイドファイバ３２を内視鏡に組み込む際のファイバ素線折れを防止できる。
【００７２】
これに加え、第１及び第２のライトガイドファイバ３１，３２の連結部材（枠部材３４、第１及び第２の口金４０，５０）の発熱部外周に空気層を設けると共に、この連結部材を操作部３外装（グリップ１１）に接触しないように配置、固定したので、操作部３外装が加熱されることがなく内視鏡使用中術者の妨げになることがない。また、前記連結部材を熱伝達の良い素材で構成するとともに、これを固定する他の内部構成部品も良熱伝達素材より構成し、熱が拡散するようにしたので、長時間使用しても内視鏡内部に熱がこもることがない。
【００７３】
［付記］
以上詳述したような本発明の前記実施の形態によれば、以下の如き構成を得ることができる。
【００７４】
（付記項１）  被検体に挿入可能な挿入部と、
光源からの照明光が入射され、その入射された照明光を出射可能な出射部を有するライトガイドファイバと、
前記挿入部に設けられ、前記ライトガイドファイバの出射部が前記挿入部の先端部に配置されるように収容する挿通路と、
前記挿通路の基端側から前記挿通路と連通した空間を形成し先端側を前記挿通路に収容されたライトガイドファイバの少なくとも一部を収容可能な収容部と、
を有し、
前記ライトガイドファイバは前記収容部に屈曲して収容されていることを特徴とする内視鏡。
【００７５】
（付記項２）  被検体に挿入可能な挿入部と、
前記挿入部の基端側に設けられる操作部と、
光源からの照明光が入射され、その入射された照明光を出射可能な出射部を有する第１のライトガイドファイバと、
前記出射部から出射される照明光が入射するように前記第１のライトガイドファイバと光学的に接続された第２のライトガイドファイバと、
前記光学的に接続された第１のライトガイドファイバと前記第２のライトガイドファイバとを前記操作部内に固定する固定手段と、
前記挿入部に設けられ前記第２のライトガイドファイバを前記挿入部の基端側から先端側に挿通可能に収容する挿通路と、
前記挿通路の基端側と連通した前記挿通路よりも広径な空間を形成し先端側を前記挿通路内に収容された第２のライトガイドファイバの少なくとも一部を収容可能なライトガイドファイバ収容部と、
前記第２のライトガイドファイバに設けられ前記ライトガイドファイバ収容部に屈曲して収容される屈曲部と、
を有することを特徴とする内視鏡。
【００７６】
（付記項３）  被検体に挿入可能な挿入部を有する内視鏡において、
光源からの照明光が入射され、その入射された照明光を出射可能な出射部を有する第１のライトガイドファイバと、
前記出射部から出射される照明光が入射するように前記第１のライトガイドファイバと光学的に接続された第２のライトガイドファイバと、
前記挿入部に設けられた前記第２のライトガイドファイバを前記挿入部の基端側から先端側に挿通可能に収容する挿通路と、
前記挿通路に基端側と連通した前記挿通路よりも広径な空間を形成し前記挿通路に収容された第２のライトガイドファイバの余長部を収納可能なライトガイドファイバ収容部と、
を有することを特徴とする内視鏡。
【００７７】
（付記項４）  体腔内に挿入する挿入部と、
前記挿入部の基端側に設けられた操作部と、
前記操作部から延出したユニバーサルケーブルと、
このユニバーサルケーブルの端部に設けられた光源装置に着脱自在なコネクタ部とを備えるとともに、
前記コネクタ部内から前記操作部内にかけて配置される第１のライトガイドファイバと、前記操作部内から前記挿入部の先端にかけて配置される第２のライトガイドファイバとを前記操作部内で連結手段により連結させて光源装置からの照明光を内視鏡先端に導光し被写体を照明するためのライトガイドファイバを構成した内視鏡において、
前記連結手段を前記操作部内に固定的に設けるとともに、少なくとも前記第２のライトガイドファイバの最小曲げ半径以上の半径寸法をもつ略円筒形状の前記第２ライトガイドファイバ収納空間を前記連結手段に隣接して前記操作部内に設けたことを特徴とする内視鏡。
【００７８】
（付記項５）  前記連結手段において、少なくとも前記第１、第２のライトガイドファイバの端部が位置する前記連結手段の外周部分に空気層を設けるとともに、この連結手段が前記内視鏡の外装部品以外の内部構成部品に固定されていることを特徴とする付記項４の内視鏡。
【００７９】
（付記項６）  前記連結手段は前記第１、第２のライトガイドファイバの間に、集光光学手段を介在させて連結したことを特徴とする付記項４の内視鏡。
【００８０】
（付記項７）  前記第１、第２のライトガイドファイバの配光角を各々異なるものとし、前記連結手段はこの第１、第２のライトガイドファイバの間に配光角を変換する光学手段を介在させて連結するようにしたことを特徴とする付記項４の内視鏡。
【００８１】
（付記項８）  被写体に挿入可能な挿入部を有する内視鏡において、
光源からの照射光が入射され、その入射された照射光を出射可能な出射部を有する第１のライトガイドファイバと、
前記出射部から出射される照射光が入射するように前記第１のライトガイドファイバと接続手段により光学的に接続された第２のライトガイドファイバと、
前記挿入部に設けられた前記第２のライトガイドファイバを前記挿入部の基端側から先端側に挿通可能に収容する挿通路と、
前記挿通路の基端側と連通した前記挿通路よりも広径な空間を形成し先端側を前記挿通路内に収容された第２のライトガイドファイバの少なくとも一部を収容可能なライトガイドファイバ収容部と、
前記第２のライトガイドファイバに設けられ、前記ライトガイドファイバ収容部に屈曲して収容される屈曲部と、
を有することを特徴とする内視鏡。
【００８２】
【発明の効果】
以上述べた様に本発明によれば、操作部に衝撃が加わっても連結部材の慣性力によってライトガイドファイバにダメージが加わることを確実に防止できるので、ライトガイドファイバ本体に負荷がかからず、操作部内でのライトガイドファイバの素線折れを防止できる。また、操作部内においてライトガイドファイバの余長分を、余裕をもって収納できるので、ライトガイドファイバ自体の全長寸法公差を大まかに設定してライトガイドファイバ自体の加工性を向上させることに加え、ライトガイドファイバを内視鏡に組み込む際のファイバ素線折れを防止できる。
【図面の簡単な説明】
【図１】本発明の実施の形態に係るは本実施の形態の内視鏡本体の斜視図。
【図２】本発明の実施の形態に係る内視鏡の操作部における長手方向の断面図。
【図３】本発明の実施の形態に係る内視鏡の操作部における図２のＡ−Ａ断面図。
【図４】本発明の実施の形態に係る内視鏡の操作部における図２のＢ−Ｂ断面図。
【図５】本発明の実施の形態に係る第１および第２のライトガイドファイバを連結する連結手段を示す分解斜視図。
【符号の説明】
１            …内視鏡
２            …挿入部
３            …操作部
８            …先端部
９            …湾曲部
１０          …硬性部
１１          …グリップ
３０          …光学ユニット
３１          …第１のライトガイドファイバ
３２          …第２のライトガイドファイバ
３３          …光学部材
３４          …枠部材
４０          …第１の口金
５０          …第２の口金
６１          …受け筒
６２          …内部連結板
６３          …ファイバ収納部品
７１          …ライトガイドファイバ収容部
７２          …屈曲部
７３          …挿通路
【図１】
2004202136.tif 000003
【図２】
2004202136.tif 000004
【図３】
2004202136.tif 000005
【図４】
2004202136.tif 000006
【図５】
2004202136.tif 000007